(57)【要約】【課題】  本発明は、電極板の補修，交換，切り替え等を容易に達成できる実用性に秀れた金属箔製造用不溶性電極を提供すること。【解決手段】  支持体15に電極板３を支持状態で設けてこの電極板３を内面とする電解層１を形成し、この電解層１に金属イオンを含む電解液を溜め、この電解液に円筒状のドラム２を浸漬し、前記電極板３から前記電解液を経由して前記ドラム２に電流を流すことにより、このドラム２の外周面で金属箔を製造する装置であって、前記電極板３として前記円筒状のドラム２の外周面に対応する断面視円弧状のものを採用し、前記電極板３とこの電極板３を支持する前記支持体15とを別体とし、この電極板３と支持体15とを着脱自在に固定した金属箔製造用不溶性電極。【選択図】        図３
2004332102.tif 000002
【特許請求の範囲】
【請求項１】
支持体に電極板を支持状態で設けてこの電極板を内面とする電解層を形成し、この電解層に金属イオンを含む電解液を溜め、この電解液に円筒状のドラムを浸漬し、前記電極板から前記電解液を経由して前記ドラムに電流を流すことにより、このドラムの外周面で金属箔を製造する装置であって、前記電極板として前記円筒状のドラムの外周面に対応する断面視円弧状のものを採用し、前記電極板とこの電極板を支持する前記支持体とを別体とし、この電極板と支持体とを着脱自在に固定したことを特徴とする金属箔製造用不溶性電極。
【請求項２】
前記支持体に、前記断面視円弧状の電極板の形状に対応して外方から支持する円弧支持部を設け、この支持体の円弧支持部に前記電極板を支承状態に設け、この電極板と前記支持体の円弧支持部とを着脱自在に固定したことを特徴とする請求項１記載の金属箔製造用不溶性電極。
【請求項３】
前記電極板と前記支持体とをボルト固定構造で着脱自在に固定したことを特徴とする請求項１，２のいずれか１項に記載の金属箔製造用不溶性電極。
【請求項４】
前記電極板に電極支持部を設け、この電極支持部若しくはこの電極支持部に設けた電極側突片部と、前記支持体若しくは前記支持体に設けた支持体側突片部とをボルト固定構造で固定することにより前記電極板と支持体とを着脱自在に固定したことを特徴とする請求項３記載の金属箔製造用不溶性電極。
【請求項５】
前記電極支持部又は前記電極側突片部に貫通孔若しくはネジ孔を設け、前記支持体又は前記支持体側突片部にネジ孔若しくは貫通孔を設け、この貫通孔に貫通若しくはこのネジ孔にボルトを螺着して前記電極板の電極支持部と前記支持体とをボルト止め固定したことを特徴とする請求項４記載の金属箔製造用不溶性電極。
【請求項６】
前記電極支持部に電極側突片部を前記電極板の端部から外方に突出状態に設け、この電極側突片部に貫通孔若しくはネジ孔を設け、前記支持体の円弧支持部にネジ孔を設けて、この貫通孔に貫通若しくはネジ孔にボルトを螺着して前記電極側突片部と前記円弧支持部とを固定したことを特徴とする請求項４，５いずれか１項に記載の金属箔製造用不溶性電極。
【請求項７】
前記支持体に前記支持体側突片部を内方に突出状態に設けて前記円弧支持部を形成し、前記支持体側突片部に貫通孔若しくはネジ孔を設け、前記電極支持部にネジ孔を設け、この貫通孔に貫通若しくはネジ孔にボルトを螺着して前記電極支持部と前記円弧支持部とを固定したことを特徴とする請求項４，５いずれか１項に記載の金属箔製造用不溶性電極。
【発明の詳細な説明】
【技術分野】
【０００１】
本発明は、金属箔製造用不溶性電極に関するものである。
【背景技術】
【０００２】
銅箔や銀箔等の金属箔を製造する装置が種々提案されている（例えば、出願人の先願に係る特開２００１−４９４８２）。
【０００３】
この金属箔製造用不溶性電極について図１に基づいて簡単に説明すると、上部開口箱形の収納容体21内に配設され金属イオンを含む電解液（例えば、硫酸銅溶液）が溜められる電解層１と、この電解層１に溜められた電解液に浸漬される円筒状のドラム２とから成り、電解層１の内部にはドラム２の円弧外周面に対応する半円弧形状の電極板３（アノードプレート）が、前記収納容体21内に配設された支持体15（アノードフレーム）によって支持された状態で設けられ、この電極板３の上部外面にはブスバー４と呼ばれる給電体が設けられている。前記電解層１の底部には、この電解層１内に電解液を供給する液供給口11が設けられ、前記ブスバー４には、この電解層１からオーバーフローした電解液が通過する凹溝状の液通過部８が設けられている。また、前記ドラム２は軸12を支点に回転する構成である（本実施例と同一構成部分には同一符号を付した。）。
【０００４】
電流は、前記ブスバー４に付設した電極体９から、ブスバー４，電極板３及び電解液を経由してドラム２に供給され、このドラム２から軸12を経由して放出される。この電流の流れによってドラム２の外周面には金属箔が形成される。この金属箔は、ドラム２から順次剥離されていく。
【０００５】
また、金属箔の形成に伴って電解液中の金属イオンが消費されていく為、前記液供給口11から電解層１内に電解液を供給していき、この供給によって溢れた電解液は前記液通過部８から排出している。
【０００６】
金属箔の良好で且つ効率的な形成、即ち、薄く且つ均一な厚さの金属箔を早く形成する為には、ドラム２の外周面に電流が均一に流れることが重要である。その為、ドラム２や電極板３には、電気抵抗の低い金属製のもの（例えば、銅製のもの）を採用したいが、電解液の腐食作用も考慮する必要があり、よって、実際にはチタンやステンレス等の腐食に強い素材製のものが採用されている。
【０００７】
【特許文献１】特開２００１−４９４８２号公報
【発明の開示】
【発明が解決しようとする課題】
【０００８】
ところで、従来、電極板３と支持体15とは溶接されて一体となっている。しかし、溶接による一体構造では下記の問題点がある。
【０００９】
(1) 前記腐食等によって電極板３が劣化した際、補修や交換が必要となるが、この際、電極板３と支持体15とが一体であると、支持体15が邪魔で補修作業が厄介となったり、電極板３を破棄する際に支持体15も破棄しなければならなくなるという問題点がある。
【００１０】
(2) 使用する電解液によって電極板３を切り替えたい場合、例えば、チタンに比して安価なステンレス製の電極板３を使用していた後に、ステンレスを腐食し易い電解液を使用するべくチタン製の電極板３に変更したい場合、電極板３と支持体15とが一体となったものを切り替えなければならず、切り替え作業が厄介であったり、電極板３と支持体15との一体物の為の広い保管場所の確保が必要となる。
【００１１】
これらの問題点は、電極板３や支持体15が非常に大きい為（数メートル）、大きな問題点となっている。
【００１２】
本発明は、上記問題点を解決するもので、電極板の補修，交換，切り替え等を容易に達成できる実用性に秀れた金属箔製造用不溶性電極を提供することを目的とする。
【課題を解決するための手段】
【００１３】
添付図面を参照して本発明の要旨を説明する。
【００１４】
支持体15に電極板３を支持状態で設けてこの電極板３を内面とする電解層１を形成し、この電解層１に金属イオンを含む電解液を溜め、この電解液に円筒状のドラム２を浸漬し、前記電極板３から前記電解液を経由して前記ドラム２に電流を流すことにより、このドラム２の外周面で金属箔を製造する装置であって、前記電極板３として前記円筒状のドラム２の外周面に対応する断面視円弧状のものを採用し、前記電極板３とこの電極板３を支持する前記支持体15とを別体とし、この電極板３と支持体15とを着脱自在に固定したことを特徴とする金属箔製造用不溶性電極に係るものである。
【００１５】
また、前記支持体15に、前記断面視円弧状の電極板３の形状に対応して外方から支持する円弧支持部28を設け、この支持体15の円弧支持部28に前記電極板３を支承状態に設け、この電極板３と前記支持体15の円弧支持部28とを着脱自在に固定したことを特徴とする請求項１記載の金属箔製造用不溶性電極に係るものである。
【００１６】
また、前記電極板３と前記支持体15とをボルト固定構造で着脱自在に固定したことを特徴とする請求項１，２のいずれか１項に記載の金属箔製造用不溶性電極に係るものである。
【００１７】
また、前記電極板３に電極支持部22を設け、この電極支持部22若しくはこの電極支持部22に設けた電極側突片部６と、前記支持体15若しくは前記支持体15に設けた支持体側突片部７とをボルト固定構造で固定することにより前記電極板３と支持体15とを着脱自在に固定したことを特徴とする請求項３記載の金属箔製造用不溶性電極に係るものである。
【００１８】
また、前記電極支持部22又は前記電極側突片部６に貫通孔25若しくはネジ孔26を設け、前記支持体15又は前記支持体側突片部７にネジ孔26若しくは貫通孔25を設け、この貫通孔25に貫通若しくはこのネジ孔26にボルト27を螺着して前記電極板３の電極支持部22と前記支持体15とをボルト止め固定したことを特徴とする請求項４記載の金属箔製造用不溶性電極。
【００１９】
また、前記電極支持部22に電極側突片部６を前記電極板３の端部から外方に突出状態に設け、この電極側突片部６に貫通孔25若しくはネジ孔26を設け、前記支持体15の円弧支持部28にネジ孔26を設けて、この貫通孔25に貫通若しくはネジ孔26にボルト27を螺着して前記電極側突片部６と前記円弧支持部28とを固定したことを特徴とする請求項４，５いずれか１項に記載の金属箔製造用不溶性電極に係るものである。
【００２０】
また、前記支持体15に前記支持体側突片部７を内方に突出状態に設けて前記円弧支持部28を形成し、前記支持体側突片部７に貫通孔25若しくはネジ孔26を設け、前記電極支持部22にネジ孔26を設け、この貫通孔25に貫通若しくはネジ孔26にボルト27を螺着して前記電極支持部22と前記円弧支持部28とを固定したことを特徴とする請求項４，５いずれか１項に記載の金属箔製造用不溶性電極に係るものである。
【発明の効果】
【００２１】
本発明は上述のように、電極板と支持体とが別体で着脱できるから、電極板のみの状態として補修，交換，切り替え等を容易に達成できる実用性に秀れた金属箔製造用不溶性電極となる。
【００２２】
請求項２記載の発明においては、支持体の円弧支持部が電極板の形状に対応して外方から支持する構成であるから、この円弧支持部に支持された電極板はドラムの外周面に適正に対応する断面視円弧状となり、よって、この電極板からドラムに均一に電流が流れ、このドラムの外周面で均一な厚さの金属箔を良好に形成することができる実用性に秀れた金属箔製造用不溶性電極となる。
【００２３】
請求項３記載の発明においては、電極板と支持体とがボルト固定構造であるから、この電極板と支持体との固定及び分離は容易且つ確実に達成できることになる。
【００２４】
また、ボルトの締め付け度合いを調整することで電極板の歪みの修正も行えることになり、電極板とドラムとを適正な位置関係として、このドラムの外周面で均一な厚さの金属箔を良好に形成することができる実用性に秀れた金属箔製造用不溶性電極となる。
【００２５】
請求項４記載の発明においては、電極板に設けた電極支持部若しくはこの電極支持部に設けた電極側突片部と、支持体若しくはこの支持体に設けた支持体側突片部とをボルト固定構造で固定するから、電流が流れる電極板にボルトを固定するための貫通孔やネジ孔を設けたりする必要が無く、よって、電極板に電流を均一に流してドラムの外周面で均一な厚さの金属箔を良好に形成することができる実用性に秀れた金属箔製造用不溶性電極となる。
【００２６】
請求項５記載の発明においては、請求項４記載のボルト固定構造を容易に設計実現可能となる実用性に秀れた金属箔製造用不溶性電極となる。
【００２７】
請求項６記載の発明においては、電極板に対して外方に突出する電極側突片部においてボルトを着脱する構成であるから、このボルトの着脱が電極板によって邪魔されたりせず、よって、電極板と支持体との着脱を良好に達成することができる実用性に秀れた金属箔製造用不溶性電極となる。
【００２８】
請求項７記載の発明においては、支持体に対して内方に突出する支持体側突片部と電極支持部とをボルトにより連結して電極板と支持体とを固定する構成であるから、支持体に対して内方に突出する支持体側突片部で電極支持部を支承した状態で固定でき、これにより、電極板の端部と支持体の側面とが略面一状態となるように前記電極板と支持体とを固定することが可能で、よって、例えば電極板及び支持体を所定の容体に整然とした状態で収容することができる実用性に秀れた金属箔製造用不溶性電極となる。
【発明を実施するための最良の形態】
【００２９】
好適と考える本発明の実施の形態（発明をどのように実施するのが最良か）を、図面に基づいてその作用効果を示して簡単に説明する。
【００３０】
電極板３と支持体15とを分離することで、電極板３のみの補修，交換，切り替えを容易に達成することができる。
【００３１】
即ち、従来は電極板３と支持体15とが溶接により一体とされていた為、支持体15が邪魔で電極板３の補修作業が厄介であったり、交換，切り替えの際は支持体15と一緒に交換，切り替えを行わなければならないという問題点があったが、本発明によれば、支持体15から電極板３を分離することで、前記補修作業は容易に達成でき、また、交換，切り替えは電極板３のみとすることができる。
【００３２】
また、例えば、前記支持体15に、前記断面視円弧状の電極板３の形状に対応して外方から支持する円弧支持部28を設け、この支持体15の円弧支持部28に前記電極板３を支承状態に設け、この電極板３と前記支持体15の円弧支持部28とを着脱自在に固定すれば、円弧状の電極板３に変形が極めて生じにくい状態でこの電極板３を円弧支持部28に固定して電解層１を形成でき、これにより、電極板３をドラム２の外周面に適正に対応する断面視円弧状で保持することができ、よって、この電極板３からドラム２に均一に電流を流して前記ドラム２の外周面で均一な厚さの金属箔を形成できることになるなど、一層実用的となる。
【００３３】
また、例えば、前記電極板３と前記支持体15とをボルト固定構造で着脱自在に固定すれば、単にボルトを締めたり緩めたりするだけで、電極板３と支持体15との固定及び分離を行って前記電極板３の修理，交換，切り替えを一層容易に達成できることとなるなど、一層実用的となる。
【００３４】
また、ボルトの締め付け度合いを調整することで支持体15に対する電極板３の配設位置を調整して電極板３の歪みの修正を行うことができ、これにより、電極板３とドラム２とを適正な位置関係として、このドラム２の外周面で均一な厚さの金属箔を形成できることとなるなど、一層実用的となる。
【００３５】
また、例えば、前記電極板３に電極支持部22を設け、この電極支持部22若しくはこの電極支持部22に設けた電極側突片部６と、前記支持体15若しくは前記支持体15に設けた支持体側突片部７とをボルト固定構造で固定することにより前記電極板３と支持体15とを着脱自在に固定すれば、電極板３を支持体15若しくは支持体側突片部７に直に固定するのではなく、電極支持部22若しくは電極支持部22及び電極側突片部６を介して固定するため、電流が流れる電極板３に例えば貫通孔やネジ孔を設ける必要がなく、よって、電極板に電流を均一に流すことが可能で、ドラムの外周面に均一な厚さの金属箔を形成できることとなるなど、一層実用的となる。
【００３６】
また、例えば、前記電極支持部22又は前記電極側突片部６に貫通孔25若しくはネジ孔26を設け、前記支持体15又は前記支持体側突片部７にネジ孔26若しくは貫通孔25を設け、この貫通孔25に貫通若しくはこのネジ孔26にボルト27を螺着して前記電極板３の電極支持部22と前記支持体15とをボルト止め固定すれば、単にボルト27を貫通孔25に貫通若しくはネジ孔26に螺着するだけで、電極板３と支持体15とを作業性良く固定できることとなるなど、一層実用的となる。
【００３７】
また、例えば、前記電極支持部22に電極側突片部６を前記電極板３の端部から外方に突出状態に設け、この電極側突片部６に貫通孔25若しくはネジ孔26を設け、前記支持体15の円弧支持部28にネジ孔26を設けて、この貫通孔25にボルト27を貫通若しくはネジ孔26にボルト27を螺着して前記電極側突片部６と前記円弧支持部28とを固定すれば、電極板３に対して外方に突出する電極側突片部６においてボルト27を着脱する構成であるから、このボルト27の着脱が電極板３によって邪魔されたりせず、よって、電極板３と支持体15との着脱を良好に達成できることとなるなど、一層実用的となる。
【００３８】
また、例えば、前記支持体15に前記支持体側突片部７を内方に突出状態に設けて前記円弧支持部28を形成し、前記支持体側突片部７に貫通孔25若しくはネジ孔26を設け、前記電極支持部22にネジ孔26を設け、この貫通孔25に貫通若しくはネジ孔26にボルト27を螺着して前記電極支持部22と前記円弧支持部28とを固定すれば、支持体15に対して内方に突出する支持体側突片部７で電極支持部22を支承した状態で固定でき、これにより、電極板３の端部と支持体15の側面とが略面一状態となるように前記電極板３と支持体15とを固定することが可能で、よって、例えば電極板３及び支持体15を所定の容体に整然とした状態で収容できることとなるなど、一層実用的となる。
【実施例】
【００３９】
本発明の具体的な本実施例について図面に基づいて説明する。
【００４０】
本実施例は、上部が開口した箱形収納容体21の内部に電極板３を支持するための支持体15を設け、この支持体15に電極板３を支承状態で設けて収納容体21内に電解層１を形成し、この電解層１に金属イオンを含む電解液を溜め、この電解液にドラム２を浸漬し、前記電極板３から前記電解液を経由して前記ドラム２に電流を流すことにより、このドラム２の外周面で金属箔を製造する装置である。
【００４１】
ドラム２は円筒状のものを採用している。このドラム２の中心部には軸12が設けられ、この軸12を支点にドラム２は回転する。
【００４２】
このドラム２は、例えば、鉄製のインナードラムの外周面にチタン製のトップスキン（アウタードラム）を被嵌したものを採用する。
【００４３】
軸12は、陰極（カソード）に接続している。
【００４４】
電解層１の内面、即ち、電極板３（アノードプレートと呼ばれている。）は、ドラム２の下半分の外周面形状に対応する上方が開口した断面視円弧形状である。尚、図１の紙面表裏方向は、ドラム２の垂直外縁に対応する垂直形状で、この部位には電極板３は設けられていない。
【００４５】
また電極板３は、約１／４円弧状の二枚の円弧状の電極板３・３を対向状態に設け、この電極板３間の電解層１の中央底部には、電解層１内に前記電解液を供給する為の液供給口11を設けている。
【００４６】
この二枚の円弧電極板３・３は、別体の支持体15に夫々固定することによって所定位置に支持せしめている。
【００４７】
また、電極板３と支持体15とは、着脱自在に固定している。以下、この固定構造について詳述する。
【００４８】
夫々の支持体15には、前記断面視円弧状の電極板３、即ち、前記二枚の円弧電極板３・３の形状に対応して外方から支持する円弧支持部28を設けている。
【００４９】
前記電極板３は、前記円弧支持部28に着脱自在に固定している。
【００５０】
この着脱自在な固定構造としては、ボルト固定構造を採用している。
【００５１】
具体的には、電極板３は、図３，図４に示すように、下側から電極支持部22で支持した構成のものを採用し、この電極支持部22には電極側突片部６を設け、この電極板側突片部６を前記円弧支持部28にボルト固定構造で固定する構成を採用している。即ち、電極側突片部６と円弧支持部28とのいずれか一方に貫通孔25を設け、他方にネジ孔26を設け、貫通孔25側からネジ孔26側に向けてボルト27を螺合し、電極側突片部６と円弧支持部28、即ち、電極板３と支持体15とを固定している。尚、ボルト27を取り外せば、電極板３と支持体15とを分離することができる。
【００５２】
即ち、電極板３を電極支持部22で支持した構成とし、電極支持部22若しくはこの電極支持部22に設けた電極側突片部６に貫通孔25若しくはネジ孔26を設けたのは、電極板３の電流が流れる部位、即ち、電極板３に貫通孔25やネジ孔26を設けると、流れる電流が不均一となってしまうからである。この点、本実施例は、電極板３に貫通孔25やネジ孔26を設けず、電極支持部22若しくは電極側突片部６に貫通孔25やネジ孔26を設ける構成としたから、電極板３の電流が流れる部位に電流が均一に流れることになり、よって、前記ドラム２の外周面で均一な厚さの金属箔を形成できることになる。
【００５３】
電極板３は、腐食に強く且つ通電性の良い素材製の板材、例えば、チタン製，ステンレス製等の板材を採用する。また、電極板３は、円弧状に湾曲できる厚さのもの、例えば、チタン製のものを採用した場合、厚さ１０〜４０ｍｍ程度のものを採用する。
【００５４】
電極支持部22は、腐食に強い素材製のもの（通電性は必要無い）、例えば、チタンやステンレス等の金属製，ＦＲＰやＰＶＣ等の合成樹脂製のものを採用する。
【００５５】
尚、電極側突片部６も、電極支持部22と同様、例えば、チタンやステンレス等の金属製，ＦＲＰやＰＶＣ等の合成樹脂製のものを採用すると良い。
【００５６】
即ち、電極板３と電極支持部22とは、電極板３から電極支持部22に電流が逃げない状態（絶縁状態）で固定する。電極支持部22として絶縁性の高いものを採用した場合は、単なる固定構造を採用しても良いが、電極支持部22として絶縁性の低いものを採用した場合は、電極板３と電極支持部22との間に絶縁ゴム等の絶縁層を介在させると良い。
【００５７】
また、本実施例では、電極支持部22として、前記電極板３の外面に積層する支持板部16を採用している。
【００５８】
そして、この支持板部16の外面に上下方向に所定間隔を置いて電極側突片部６を複数並設している。
【００５９】
支持板部16が前記電極板３を円弧形状に保持し、この支持板部16を前記複数の電極側突片部６が保持する。尚、電極板３は、前記厚さの設定の為、支持板部16によって積層状態で支持しないと湾曲や歪みが非常に発生し易い。
【００６０】
電極側突片部６は、支持板部16及び電極板３の端部（左右側部）から外方に突出状態に設けた構成とし、この電極側突片部６の突出部位が前記支持体15の円弧支持部28に当接するように構成している。
【００６１】
そして、この電極側突片部６の突出部位に貫通孔25を設け、前記円弧支持部28にして前記貫通孔25と対応する位置にネジ孔26を設け、ネジ軸29の一端部に頭部30が設けられた構成のボルト27を貫通孔25側からネジ孔26に挿入してこのネジ軸29をネジ孔26に螺着し、頭部30を貫通孔25の周縁に係止して前記電極側突片部６の突出部位、即ち、前記電極板３の下側の電極支持部22を支持体15に固定している。
【００６２】
従って、このボルト27の着脱により、電極板３を支持体15に固定したり、電極板３を支持体15から取り外したりすることができる。
【００６３】
図中符号10は、前記ボルト27のネジ軸29をネジ孔26に螺着した際、このボルト27の頭部30が突出することを防止する為の径大孔部である。
【００６４】
貫通孔25は、前記ネジ軸29より径大のものを採用すると良い。この貫通孔25とネジ軸29との径の差により、電極板３を歪ませずに支持体15と固定せしめ易くなる。
【００６５】
前記電極側突片部６は、前述のように、前記電極板３の左右側部に多数突出状態で設けられている。この多数の電極側突片部６の突出部位を用いて多数のボルト27により前記電極板３を前記支持体15に固定する。
【００６６】
支持体15に固定した電極板３に歪みがあった場合、前記多数のボルト27の締め付け度合いを夫々調整することで歪みを消失せしめる。この歪みの消失により、電極板３の円弧内面とドラム２の円弧外面とが適正な位置関係となり（双方がドラム２の回転軸を中心とする円弧形状となり）、このドラム２の外面で均一な厚さの金属箔を形成することができる。
【００６７】
この歪みの消失は、前記電極板３が湾曲できる厚さであるから、良好に達成することができる。また、電極板３の湾曲状態を保持する電極支持部22は支持板部16で構成され、支持板部16も湾曲できないような厚さではなく、湾曲可能であるから、この点からも、前記歪みの消失は良好に達成することができる。
【００６８】
また、電極板３の左右側部から突出する電極側突片部６においてボルト27の締め付け度合いを調整できる構成であるから、電極板３や支持板部16に邪魔されずに前記調整を良好に行うことができる。
【００６９】
尚、ボルト27として頭部の無いネジ部だけのボルトを採用し、このボルトを前記ネジ孔26に螺着し、更に、このボルトにナットを螺着することで電極板３を支持体10に固定する構成を採用しても良い。
【００７０】
電極板３の上部外面には、図１に示すように、ブスバー４と呼ばれる電極体を当接している。
【００７１】
このブスバー４には、前記電解層１からオーバーフローした前記電解液を通過せしめる為の上部が開口した凹溝状の液通過部８を設けている。この液通過部８の存在により、ブスバー４は上部が開口した断面視コ字形となっている。
【００７２】
ブスバー４は、チタン板製のもの、若しくは、通電性の高い金属板（例えば銅板）にチタン板をライニングしたり、チタンをメッキしたりしたものを採用している。尚、ブスバー４がチタン板製の場合、このチタン板として厚さ１０〜８０ｍｍ程度のものを採用する。
【００７３】
また、ブスバー４は、電極体９（陽極）に付設している。この電極体９から供給される電流は、ブスバー４、電極板３、電解液の順に通過した後、ドラム２の外周面に達し、このドラム２から前記軸12を通過して放出される。この電流の通過により、ドラム２の外周面に金属箔（銅箔や銀箔等、電解液によって決定する）を形成できる。
【００７４】
電極体９は、電解液の腐食作用を受けない為、通電性の良い素材製のもの、例えば、銅製や銀製のものを採用する。
【００７５】
この電極体９には、整流器（図示省略）を通過した定電圧の定電流が作用する。
【００７６】
本実施例は上述のように構成したから、ボルト27を取り付けたり取り外したりすることで電極板３と支持体15とを固定したり分離したりすることができ、よって、電解層１に溜めた電解液の影響等によって電極板３を交換しなければならなくなった際、電極板３のみの交換が可能で、交換コストの低下を達成することができる。
【００７７】
また、使用する電解液によって電極板３を適宜選択して採用する場合、例えば、普段は腐食にはやや弱いが安価なステンレス製の電極板３を採用し、強力な腐食作用を有する電解液を使用する為に腐食に非常に強いが高価なチタン製の電極板３に切り替える場合、電極板３のみの交換で済むことになり、交換作業は容易で、且つ、使用しない電極板３の保管場所も広いスペースを必要としないことになる。
【００７８】
また、電極板３を補修する場合、電極板３を支持体15から分離し、電極板３のみの状態として補修作業を行うことができ、よって、支持体15が補修作業の邪魔になったりせず、補修作業を的確且つ容易に行うことができる。
【００７９】
また、電極板３を支持体15に溶接する構成であると、電極板３が非常に大きなものである為、溶接の際に歪みが発生し、電極板３に研磨処理等の仕上げ加工を施してドラム２の形状に対応するようにしなければならなかったが、本実施例によれば、溶接を行わない構成の為、当然ながら歪みの発生は無く、更に、夫々のボルト27の締め付け度合いを調整することで、電極板３を適正な円弧形状とすることができ、よって、ドラム２の外周面で良好に金属箔を形成できることになる。
【００８０】
また、電極板３の内の電流が流れる部位、即ち、電極板３の厚さを湾曲できる厚さに設定したから、前記ボルト27の締め付け度合いの調整による作用（電極板３を適正な円弧形状とする作用）は極めて良好に発揮されることになる。
【００８１】
また、電極板３の内の電流が流れる部位、即ち、電極板３にボルト27を螺着する為のネジ孔26や貫通孔25を設けず、電流の流れない部位、即ち、支持板部16に前記ネジ孔26若しくは貫通孔25を設ける構成を採用したから、電極板３の全域に電流の流れを阻害する孔等が存在しないことになり、それだけ電流が均一に流れることができてドラム２の外周面で良好に金属箔を形成できることになる。
【００８２】
また、電極板３の側部に電極側突片部６を設け、この電極側突片部６を支持体15に固定する構成を採用したから、電極板３の電流が流れる部位に全く影響を与えずに電極板３側から支持体15側にボルト27を貫通させることができ、よって、ボルト27の取り付け構造として簡易なものを採用でき、且つ、ボルト27の取り付け作業を良好に行える構成とすることができる。
【００８３】
図５〜図９は別例で、図５は、前記支持体15に、外方に向けて突出する支持体側突片部７を設けて円弧支持部28を形成し、この支持体側突片部７にネジ孔26を設け、前記電極側突片部６に貫通孔25を設け、貫通孔25側からネジ孔26にボルト27を挿入して螺着する構成のものである。
【００８４】
図５によれば、前記のように電極板３側からボルト27を挿入する構成も、また、電極側突片部６にネジ孔26を設け、支持体側突片部７に貫通孔25を設け、支持体15側からボルト27を挿入する構成も、どちらでも選択することができ、汎用性に秀れることになる。
【００８５】
図６，図７は、支持体15に内方に向けて突出する支持体側突片部７を設け、この支持体側突片部７には貫通孔25を設け、一方、電極板３の外面に積層する電極支持部22、即ち、支持板部16の左右側部にはネジ孔26を前記支持体側突片部７の貫通孔25と対応するように設け、貫通孔25側からネジ孔26にボルト27を挿入して螺着することで、前記支持体側突片部７で支持板部16を支承した状態で、この支持板部16と支持体15とを固定する構成としたものである。
【００８６】
また、図６，図７における支持体側突片部７は、支持体15に溶接により一体に設けられている。
【００８７】
図６，図７によれば、電極板３及び支持板部16の左右側面と支持体15の左右側面とが面一の状態で固定することが可能で、これにより、収納容体21に電極板３及び支持体15を整然とした状態で配設することができる。
【００８８】
図８，図９は、支持体15に固定位置決め調整可能に支持体側突片部７を複数設けて円弧支持部28を形成し、前記支持体側突片部７と支持板部16とをボルト27で連結することで電極板３と支持体15とを固定するものである。
【００８９】
具体的には、支持体側突片部７を断面視Ｌ字状の板材７Ａで構成し、この板材７Ａの一端側を支持体15の内側面に当接してボルト46・ナット47により固定することで、他端側を前記支持体15の内方に突出させて円弧支持部28を形成している。
【００９０】
更に具体的には、図９に示すように、板材７Ａの一端部に貫通孔35を設け、支持体15の円弧傾斜部位近傍に貫通孔45を設け、これら貫通孔35・45にボルト46を挿通してナット47止めすることで、支持体15に板材７Ａを固定位置決め調整可能に設けている。
【００９１】
即ち、ボルト46・ナット47による固定位置決め調整により、支持体15に対する板材７Ａの取り付け固定位置（固定角度）を所望する位置（角度）に設定できる構成となっている。
【００９２】
図８，図９によれば、電極板３の湾曲度合いに応じて板材７Ａの支持体15に対する取り付け固定角度を調整できるため、円弧状の電極板３に合わせて取り付け固定位置を調整してドラム２の外周面に対応する適性な円弧支持部28を形成でき、これにより、電極板３に歪みが極めて生じにくい状態で前記電極板３を支持体15に固定できる。
【００９３】
よって、電極板３からドラム２に、より一層均一に電流を流すことが可能となり、このドラム２の外周面で均一の厚さの精度の高い金属箔を製造することが可能となる。
【００９４】
尚、本発明は、本実施例に限られるものではなく、各構成要件の具体的構成は適宜設計し得るものである。
【図面の簡単な説明】
【００９５】
【図１】金属箔製造用不溶性電極の説明側断面図である。
【図２】本実施例の支持体15の説明斜視図である。
【図３】本実施例の電極板３を支持体15に固定した状態を示す説明斜視図である。
【図４】本実施例の電極板３を支持体15に固定する構成を示す説明断面図である。
【図５】別例の支持体15の説明斜視図である。
【図６】別例の支持体15の説明斜視図である。
【図７】図６に示す別例の電極板３と支持体15との連結固定状態を示す説明断面図である。
【図８】別例の支持体15の説明斜視図である。
【図９】図８に示す別例の電極板３と支持体15との連結固定状態を示す説明断面図である。
【符号の説明】
【００９６】
１  電解槽
２  ドラム
３  電極板
６  電極側突片部
７  支持体側突片部
15  支持体
22  電極支持部
25  貫通孔
26  ネジ孔
27  ボルト
28  円弧支持部
【図１】
2004332102.tif 000003
【図２】
2004332102.tif 000004
【図３】
2004332102.tif 000005
【図４】
2004332102.tif 000006
【図５】
2004332102.tif 000007
【図６】
2004332102.tif 000008
【図７】
2004332102.tif 000009
【図８】
2004332102.tif 000010
【図９】
2004332102.tif 000011